(57)【要約】防氷剤として又は固体防氷剤用の予備被覆剤として用いるのに適した液状防氷剤組成物が開示される。該組成物は、典型的には、糖蜜固形分、塩化マグネシウム及び腐食抑制剤を含む。一つの実施態様において、液状防氷剤組成物は、糖蜜固形分、塩化マグネシウム、腐食抑制剤及びグルコン酸ナトリウムを含む。【特許請求の範囲】
【請求項１】
防氷剤組成物であって、水を含まない基準で
１．０から７０重量パーセントの糖蜜固形分、
０．１から４０重量パーセントの塩化マグネシウム、
０から３０重量パーセントの腐食抑制剤、及び
グルコン酸ナトリウム
を含む防氷剤組成物。
【請求項２】
組成物が、４５重量パーセント未満の糖蜜固形分を含む、請求項１に記載の防氷剤組成物。
【請求項３】
糖蜜が、甘蔗糖蜜、柑橘糖蜜、穀類糖蜜及びそれらの組合わせに由来する、請求項１に記載の防氷剤組成物。
【請求項４】
塩化マグネシウムが、液状ニガリに由来する、請求項１に記載の防氷剤組成物。
【請求項５】
組成物が、２５パーセント未満の塩化マグネシウムを含む、請求項１に記載の防氷剤組成物。
【請求項６】
腐食抑制剤がリン酸塩である、請求項１に記載の防氷剤組成物。
【請求項７】
リン酸塩が、オルトリン酸塩、ポリリン酸塩、ピロリン酸塩、有機ホスホン酸塩及びそれらの組合わせから成る群から選択される、請求項６に記載の防氷剤組成物。
【請求項８】
リン酸塩が、リン酸二アンモニウム、リン酸一ナトリウム及びリン酸カルシウムから成る群から選択される、請求項７に記載の防氷剤組成物。
【請求項９】
腐食抑制剤がトリエタノールアミンである、請求項１に記載の防氷剤組成物。
【請求項１０】
組成物が、更に固体防氷剤を含む、請求項１に記載の防氷剤組成物。
【請求項１１】
固体防氷剤が、塩化カリウム、塩化マグネシウム、塩化ナトリウム、塩化カルシウム、尿素、酢酸塩及びそれらの組合わせから成る群から選択される、請求項１０に記載の防氷剤組成物。
【請求項１２】
防氷剤組成物であって、水を含まない基準で
少なくとも０．５重量パーセントの塩化マグネシウム、
少なくとも０．５重量パーセントの糖蜜固形分、
少なくとも８０重量パーセントの塩化ナトリウム、及び
１０パーセント未満のグルコン酸ナトリウム
を含む防氷剤組成物。
【請求項１３】
組成物が、水を含まない基準で
０．５から１３重量パーセントの塩化マグネシウム、
０．５から３．０重量パーセントの糖蜜固形分、及び
８５から９６重量パーセントの塩化ナトリウム
を含む、請求項１２に記載の防氷剤組成物。
【請求項１４】
防氷剤が、０．５から１．５重量パーセントのリン酸一ナトリウムを含有する、請求項１２に記載の防氷剤組成物。
【請求項１５】
防氷剤が、２．０重量パーセントまでのリン酸二アンモニウムを含有する、請求項１２に記載の防氷剤組成物。
【請求項１６】
防氷剤組成物であって、
ａ）１種又はそれ以上のリン酸塩、
ｂ）糖蜜固形分、
ｃ）塩化ナトリウム以外の塩化物塩、及び
ｄ）塩化ナトリウム
を含む防氷剤組成物。
【請求項１７】
組成物が、水を含まない重量を基準として
少なくとも０．５重量パーセントのリン酸塩、
少なくとも０．５重量パーセントの糖蜜固形分、
少なくとも２．０重量パーセントの塩化マグネシウム、及び
少なくとも７０重量パーセントの塩化ナトリウム
を含む、請求項１６に記載の防氷剤組成物。
【請求項１８】
リン酸塩が、リン酸一ナトリウムを含む、請求項１７に記載の防氷剤組成物。
【請求項１９】
リン酸塩が、リン酸二アンモニウムを含む、請求項１７に記載の防氷剤組成物。
【請求項２０】
組成物が、水を含まない重量を基準として
０．５から２．０重量パーセントのリン酸塩、
０．５から２．０重量パーセントの糖蜜固形分、
２．０から６．０重量パーセントの塩化マグネシウム、及び
８０から９７重量パーセントの塩化ナトリウム
を含む、請求項１６に記載の防氷剤組成物。
【請求項２１】
組成物が、１０パーセント未満のグルコン酸ナトリウムを含む、請求項１に記載の防氷剤組成物。
【請求項２２】
組成物が、５パーセント未満のグルコン酸ナトリウムを含む、請求項１に記載の防氷剤組成物。
【請求項２３】
組成物が、０．５から１．５パーセントのグルコン酸ナトリウムを含む、請求項１に記載の防氷剤組成物。
【発明の詳細な説明】
【技術分野】
【０００１】
本発明は、改善防氷剤組成物に関する。より特定的には、本発明は、改善耐食性を有しそして直接的に防氷剤として又は固体防氷剤用の予備湿潤剤として用いるのに適している糖蜜含有防氷剤に向けられる。
【背景技術】
【０００２】
岩塩（塩化ナトリウム）のような固体防氷剤及び砂のような研磨剤は、通常、冬の数ヶ月間道路及び他の表面に施用される。これらの固体の防氷剤及び研磨剤は、しばしば、貯蔵又は施用される前に予備的に湿潤される。予備湿潤は、増加された凍結抵抗性、改善された貯蔵特性、流動性及び防氷性能を与えるために、固体の防氷剤又は研磨剤への液体の添加を含む。塩化ナトリウム、塩化カルシウム及び塩化マグネシウムのブラインが、この目的のためにしばしば用いられる。残念なことに、これらの塩化物系物質は、自動車、メンテナンス装置及びインフラストラクチャーの腐食を促進する傾向を有する。それ故、単独にて用いられ得るか又は予備湿潤剤として固体防氷剤に添加され得る防氷剤組成物を含めて、腐食性の小さい改善防氷剤組成物に対するニーズがある。
発明の要約
【０００３】
本発明は、防氷剤として又は固体防氷剤用の予備被覆剤として用いるのに適した液状防氷剤組成物に向けられる。組成物は、典型的には、糖蜜固形分、塩化マグネシウム及び腐食抑制剤を含む。一つの実施態様において、液状防氷剤組成物は、１．０から７０パーセントの糖蜜固形分、０．１から４０パーセントの塩化マグネシウム及び０から３０パーセントの腐食抑制剤を含む。
【０００４】
特定の具体的態様において、本組成物は、４５重量パーセント未満の糖蜜固形分を有する。適当な糖蜜は、甘蔗糖蜜、柑橘糖蜜、木材糖蜜、穀類糖蜜及びそれらの組合わせを包含する。塩化マグネシウムは、３０パーセントの塩化マグネシウムを含有する液状ニガリを含めて、液状ニガリに由来し得る。いくつかの実施態様において、ニガリは、重量により２０パーセント未満の塩化マグネシウムを含有する。適当な腐食抑制剤は、オルトリン酸塩、ポリリン酸塩、ピロリン酸塩及び有機ホスホン酸塩のようなリン酸塩を包含する。また、トリエタノールアミンも、本発明に従って腐食抑制剤として用いられ得る。
【０００５】
これらの成分に加えて、本組成物はまた、塩化ナトリウム、塩化カルシウム、尿素、酢酸塩及びそれらの組合わせのような固体防氷剤を含み得る。適当な固体防氷剤は、塩化ナトリウムと塩化マグネシウムの混合物を包含する。本液状組成物は、固体防氷剤の性能及び施用を改善するために、予備処理剤として固体防氷剤に吹付けにより施用され得る。たいていの実施態様において、液状組成物は、混合設備において固体防氷剤に施用される。その代わりに、液状組成物は、直接的に防氷剤施与トラックにおいてのように、分配場所にて固体防氷剤に施用され得る。固体防氷剤を含有する有用な組成物は、０．５から１３重量パーセントの塩化マグネシウム、０．６から１．５重量パーセントのリン酸一ナトリウム、１．０から３．０重量パーセントの糖蜜固形分及び８２から９６重量パーセントの塩化ナトリウム（すべて乾燥固形分基準で）を含む。
【０００６】
本発明の上記の要約は、本発明の各々の論考される具体的態様を説明するようには意図されていない。これは、以下の詳細な説明の目的である。
詳細な説明
【０００７】
本発明は、防氷剤として又は固体防氷剤用の予備被覆剤として用いるのに適した液状防氷剤組成物に向けられる。組成物は、典型的には、糖蜜固形分、塩化マグネシウム及び腐食抑制剤を含む。一つの実施態様において、液状防氷剤組成物は、１．０から７０パーセントの糖蜜固形分、０．１から４０パーセントの塩化マグネシウム及び０から３０パーセントの腐食抑制剤を含む。
【０００８】
本明細書において用いられる場合、用語「糖蜜固形分」は、様々な炭水化物（たとえば、糖）及びタンパク質のような、水でない糖蜜の成分を指す。本発明に関して用いられる典型的な商業等級糖蜜組成物は、おおよそ４０から９５パーセントの糖蜜固形分、一層典型的にはおおよそ７０から８５パーセントの固形分である。特定の適当な糖蜜組成物は、約８０パーセントの固形分を有する。適当な糖蜜は、甘蔗糖蜜、柑橘糖蜜、木材糖蜜、穀類糖蜜及びそれらの組合わせを包含する。
【０００９】
塩化マグネシウムは、たとえば、液状ニガリに由来し得る。本明細書において用いられる場合、液状ニガリは、海塩の生成に由来する生成物であり、そして海水から塩化ナトリウムの除去後に残存する液体である。液状ニガリは、通常、高濃度の塩化マグネシウム及びより低い濃度の他の塩類と共に水を含有する。たいていの実施態様において、液状ニガリは、２０から３５パーセントの塩化マグネシウムを含有する。しかしながら、他の実施態様において、液状ニガリは、２０パーセント未満の塩化マグネシウムを含有する。
【００１０】
適当な腐食抑制剤は、オルトリン酸塩、ポリリン酸塩、ピロリン酸塩及び有機ホスホン酸塩のようなリン酸塩を包含する。また、トリエタノールアミンも、本発明に従って腐食抑制剤として用いられ得る。リン酸二アンモニウム及びリン酸一ナトリウムが、腐食抑制を与えるために個々に又は一緒に用いられ得る二つの特定のリン酸塩である。リン酸カルシウムもまた、本発明に関して用いるのに適している。
【００１１】
これらの成分に加えて、本組成物はまた、塩化ナトリウム、塩化マグネシウム、塩化カルシウム、尿素、酢酸塩及びそれらの組合わせのような固体防氷剤を含み得る。かかる実施態様において、固体防氷剤は、通常、糖蜜固形分又は腐食抑制剤より有意に多い量にて存在する。典型的には、固体防氷剤の量は、糖蜜固形分の量の２倍より多い及びそれどころか一層典型的には糖蜜固形分の量の１０倍より多い。
【００１２】
本液状組成物は、固体防氷剤の性能及び施用を改善するために、予備処理剤として固体防氷剤に吹付けにより施用され得る。防氷剤を含有する適当な組成物は、１種又はそれ以上のリン酸塩、糖蜜固形分、塩化マグネシウム及び塩化ナトリウムを含む。特定の具体的態様は、少なくとも０．５重量パーセントのリン酸塩、少なくとも０．５重量パーセントの糖蜜固形分、少なくとも２．０重量パーセントの塩化マグネシウム及び少なくとも７０重量パーセントの塩化ナトリウムを有する。様々な成分についての例示濃度は、０．５から２．０重量パーセントのリン酸塩、０．５から２．０重量パーセントの糖蜜固形分、２から６重量パーセントの塩化マグネシウム及び８０から９７重量パーセントの塩化ナトリウムである。これらの百分率はすべて、記載されているその他の成分に対する相対百分率として与えられている。追加の成分（砂又は水のような）もまた該組成物に添加され得るが、しかしこれらの成分の相対百分率を変えない。
【００１３】
防氷剤として用いられ得る適当な特定の組成物は、０．５重量パーセントより多い塩化マグネシウム、１．０重量パーセントより多い糖蜜固形分及び８０重量パーセントより多い塩化ナトリウムを含み得る。たとえば、組成物は、０．５から１３重量パーセントの塩化マグネシウム、１．０から３．０重量パーセントの糖蜜固形分及び８５から９６重量パーセントの塩化ナトリウムを含有し得る。特定の組成物は０．５から１．５重量パーセントのリン酸一ナトリウムを含有し、一方他の組成物は２．０重量パーセントまでのリン酸二アンモニウムを含有する。
【００１４】
他の例示組成物は、０．５から１．５重量パーセントのリン酸一ナトリウム、１．５から２．５重量パーセントの液状ニガリ、１．５から２．５重量パーセントの甘蔗糖蜜固形分及び９０から９６．５重量パーセントの塩化ナトリウムである。この組成物中の液状ニガリは、典型的には、約３０から３５パーセントの塩化マグネシウムである。かくして、該組成物は、約０．５から１．０パーセントの塩化マグネシウムを含有する。別の適当な組成物は、０．５から１．５重量パーセントのリン酸一ナトリウム、０．５から１．０重量パーセントのリン酸二アンモニウム、１．５から２．５重量パーセントの甘蔗糖蜜固形分及び９０から９６．５重量パーセントの塩化ナトリウムを含む。更に別の適当な組成物は、０．５から２．０重量パーセントのリン酸一ナトリウム、１．５から２．５重量パーセントの甘蔗糖蜜固形分、１．５から２．５重量パーセントの塩化物塩（塩化マグネシウム又は塩化カルシウムのような）及び９０から９６．５重量パーセントの塩化ナトリウムを含む。
【００１５】
更に別の適当な組成物は、２．２％甘蔗糖蜜、２．２％液状塩化マグネシウム（３０％塩化マグネシウム）、７．０％塩化マグネシウム六水和物、１．２％リン酸二アンモニウム、１．１％グルコン酸ナトリウム（その代わりに、約０．１０％から５．０％を成す）及び処方物の残余の塩化ナトリウムの混合物である。また、マグネシウムは、硫酸マグネシウム又は硝酸マグネシウムのような他の可溶性マグネシウム塩で置き換えられ得る。いくつかの実施態様において、組成物は、微量のグルコン酸ナトリウムからほぼ１００％までのグルコン酸ナトリウムの範囲にある。より典型的には、グルコン酸ナトリウムの量は１００パーセントよりはるかに低く、そして１０パーセント未満に及びそれどころか５パーセント未満により近い。いくつかの実施態様において、グルコン酸ナトリウムの量は３パーセント未満であり、そしてしばしば組成物の約１から２パーセント又は０．５から１．５パーセントを成す。
【００１６】
予備湿潤剤として添加される場合、本発明の組成物は、典型的には、それらが施用される固体の防氷剤又は研磨剤の凍結点を降下し、また腐食を抑制する。かくして、組成物は、固体防氷剤が凍結及び硬化して大きい片（施用するのが困難である）になるのを減じるよう助ける。本発明のこの側面を試験するために、約２パーセントの湿分を有する岩塩を−４°Ｆにて２４時間貯蔵し、そして流動性について検査した。５０パーセント甘蔗糖蜜（おおよそ８０パーセントの糖蜜固形分であった）及び５０パーセント液状塩化マグネシウムを含有する予備湿潤剤を４．３重量パーセント含有する岩塩試料は流動性のままであったのに対して、該予備湿潤剤を有さない岩塩は凍結固体になった。
【００１７】
本発明に従って処方された組成物の改善性質を実例で示すために、天日塩の生成に由来する液状塩化マグネシウム（液状ニガリ）を、変動レベルの甘蔗糖蜜と配合された場合の腐食性について試験した。この腐食性を試験するために、ＡＳＴＭ規格Ｆ４３６、タイプ１を満たす１／２インチの平らな鋼製座金を、種々の液状処方物の３容量パーセント希釈物に暴露した。座金の三重反復試験セットを、試験溶液中に１０分の浸漬及び次いで５０分の風乾の反復サイクルに７２時間の期間付した。この試験の結果は、下記において表１に示されている。
表１
処方物 腐食速度（ＭＰＹ*）
１００％液状ニガリ                              ３０
５％甘蔗糖蜜、９５％液状ニガリ                  １７
５０％甘蔗糖蜜、５０％液状ニガリ                  ８
（*ＭＰＹ＝ミル毎年）
【００１８】
表１は、糖蜜が液状防氷剤に添加される場合の液状防氷剤の腐食性の有意な減少を実例で示す。丁度５パーセントの糖蜜を含有する処方物により示されるように、比較的少量の糖蜜でさえ、耐食性の劇的な改善を奏し得る。更に大きい改善は、最後の処方物にて示されるように、等分量の甘蔗糖蜜及び液状ニガリが一緒にされる場合に示される。
【００１９】
固体塩化ナトリウム防氷剤用の処理剤としての、糖蜜及び液状ニガリと他の腐食抑制剤との相乗効果を、固体塩化ナトリウムに対する予備湿潤剤として液状防氷剤組成物を用いて試験した。予備湿潤剤は、５０パーセント甘蔗糖蜜及び５０パーセント液状ニガリ（その３０パーセントは塩化マグネシウムであった）を含んでいた。腐食性を試験するために、ＡＳＴＭ規格Ｆ４３６、タイプ１を満たす１／２インチの平らな鋼製座金を、種々の固体処方物の３重量パーセント希釈物に暴露した。座金の三重反復試験セットを、試験溶液中に１０分の浸漬及び次いで５０分の風乾の反復サイクルに７２時間の期間付した。この試験の結果は、下記において表２に示されている。
表２
防氷剤組成物 腐食速度（ＭＰＹ）
１００％塩化ナトリウム                                              ５１
９９．１％塩化ナトリウム、０．９％ＭＳＰ                            ３０
９５．７％塩化ナトリウム、４．３％予備湿潤剤                        ４２
９４．８％塩化ナトリウム、４．３％予備湿潤剤、０．９％ＭＳＰ        １５
【００２０】
表２に実例で示されているように、最大の腐食低減を有する組成物は、予備湿潤剤及びリン酸一ナトリウム（ＭＳＰ）を含有する組成物であった。未処理塩化ナトリウムは５１ミル毎年の腐食速度を示し、そしてＭＳＰのみでの処理は３０ＭＰＹへの腐食の低減を達成した。予備湿潤剤のみの使用は、腐食を４２ＭＰＹに減少した。しかしながら、ＭＳＰ及び予備湿潤剤の組合わせでの処理は、腐食速度を３６ＭＰＹ下げて１５ＭＰＹにした。かくして、試験された例において、非常に有意なすばらしい効果が、腐食低減剤を糖蜜含有予備湿潤剤と組み合わせることにより観察された。リン酸塩は防氷剤用の腐食抑制剤として用いられてきたけれども、環境中にもたらされるリン酸塩の量を減らすためだけでなく、コストを減じるために、リン酸塩のレベルをできる限り多く低減することが望ましい。
【００２１】
追加の実験データは、次の処方物及びそれらの相対的腐食保護を含む。
処方物 ％腐食保護
１００％塩                                                          ０
１．２％ＤＡＰ、２．１５％糖蜜、２．１５％液状ＭｇＣｌ2、
６．９％ＭｇＣｌ2・６Ｈ2Ｏ、８７．６％塩化ナトリウム            ８０．５％
１．２％ＤＡＰ、２．１５％糖蜜、２．１５％液状ＭｇＣｌ2、
６．９％ＭｇＣｌ2・６Ｈ2Ｏ、０．２５％グルコン酸ナトリウム、
８７．４％塩化ナトリウム                                        ８４．５％
１．２％ＤＡＰ、２．１５％糖蜜、２．１５％液状ＭｇＣｌ2、
６．９％ＭｇＣｌ2・６Ｈ2Ｏ、０．５％グルコン酸ナトリウム、
８７．１％塩化ナトリウム                                        ８６．７％
１．２％ＤＡＰ、２．１５％糖蜜、２．１５％液状ＭｇＣｌ2、
６．９％ＭｇＣｌ2・６Ｈ2Ｏ、０．７５％グルコン酸ナトリウム、
８６．９％塩化ナトリウム                                        ８６．７％
１．２％ＤＡＰ、２．１５％糖蜜、２．１５％液状ＭｇＣｌ2、
６．９％ＭｇＣｌ2・６Ｈ2Ｏ、１．１５％グルコン酸ナトリウム、
８６．５％塩化ナトリウム                                        ９０．４％
【００２２】
本発明はいくつかの特定の実施態様に関して記載されてきたけれども、当業者は、それらに対する数多くの変更が本発明の精神及び範囲から逸脱することなく成され得ることを認識するであろう。
【手続補正書】
【提出日】平成16年3月1日(2004.3.1)
【手続補正１】
【補正対象書類名】特許請求の範囲
【補正対象項目名】全文
【補正方法】変更
【補正の内容】
【特許請求の範囲】
【請求項１】
防氷剤組成物であって、水を含まない基準で
１．０から７０重量パーセントの糖蜜固形分、
０．１から４０重量パーセントの塩化マグネシウム、
０から３０重量パーセントの腐食抑制剤、及び
グルコン酸ナトリウム
を含む防氷剤組成物。
【請求項２】
組成物が、４５重量パーセント未満の糖蜜固形分を含む、請求項１に記載の防氷剤組成物。
【請求項３】
組成物が、２５パーセント未満の塩化マグネシウムを含む、請求項１に記載の防氷剤組成物。
【請求項４】
腐食抑制剤がリン酸塩である、請求項１に記載の防氷剤組成物。
【請求項５】
リン酸塩が、オルトリン酸塩、ポリリン酸塩、ピロリン酸塩、有機ホスホン酸塩及びそれらの組合わせから成る群から選択される、請求項４に記載の防氷剤組成物。
【請求項６】
リン酸塩が、リン酸二アンモニウム、リン酸一ナトリウム及びリン酸カルシウムから成る群から選択される、請求項５に記載の防氷剤組成物。
【請求項７】
腐食抑制剤がトリエタノールアミンである、請求項１に記載の防氷剤組成物。
【請求項８】
組成物が、更に固体防氷剤を含む、請求項１に記載の防氷剤組成物。
【請求項９】
固体防氷剤が、塩化カリウム、塩化マグネシウム、塩化ナトリウム、塩化カルシウム、尿素、酢酸塩及びそれらの組合わせから成る群から選択される、請求項８に記載の防氷剤組成物。
【請求項１０】
防氷剤組成物であって、水を含まない基準で
少なくとも０．５重量パーセントの塩化マグネシウム、
少なくとも０．５重量パーセントの糖蜜固形分、
少なくとも８０重量パーセントの塩化ナトリウム、及び
１０パーセント未満のグルコン酸ナトリウム
を含む防氷剤組成物。
【請求項１１】
組成物が、水を含まない基準で
０．５から１３重量パーセントの塩化マグネシウム、
０．５から３．０重量パーセントの糖蜜固形分、及び
８５から９６重量パーセントの塩化ナトリウム
を含む、請求項１０に記載の防氷剤組成物。
【請求項１２】
防氷剤が、０．５から１．５重量パーセントのリン酸一ナトリウムを含有する、請求項１０に記載の防氷剤組成物。
【請求項１３】
防氷剤が、２．０重量パーセントまでのリン酸二アンモニウムを含有する、請求項１０に記載の防氷剤組成物。
【請求項１４】
防氷剤組成物であって、
ａ）１種又はそれ以上のリン酸塩、
ｂ）糖蜜固形分、
ｃ）塩化ナトリウム以外の塩化物塩、及び
ｄ）塩化ナトリウム
を含む防氷剤組成物。
【請求項１５】
組成物が、水を含まない重量を基準として
少なくとも０．５重量パーセントのリン酸塩、
少なくとも０．５重量パーセントの糖蜜固形分、
少なくとも２．０重量パーセントの塩化マグネシウム、及び
少なくとも７０重量パーセントの塩化ナトリウム
を含む、請求項１４に記載の防氷剤組成物。
【請求項１６】
リン酸塩が、リン酸一ナトリウムを含む、請求項１５に記載の防氷剤組成物。
【請求項１７】
リン酸塩が、リン酸二アンモニウムを含む、請求項１５に記載の防氷剤組成物。
【請求項１８】
組成物が、水を含まない重量を基準として
０．５から２．０重量パーセントのリン酸塩、
０．５から２．０重量パーセントの糖蜜固形分、
２．０から６．０重量パーセントの塩化マグネシウム、及び
８０から９７重量パーセントの塩化ナトリウム
を含む、請求項１４に記載の防氷剤組成物。
【請求項１９】
組成物が、０パーセントより多くかつ１０パーセント未満のグルコン酸ナトリウムを含む、請求項１に記載の防氷剤組成物。
【請求項２０】
組成物が、０パーセントより多くかつ５パーセント未満のグルコン酸ナトリウムを含む、請求項１に記載の防氷剤組成物。
【請求項２１】
組成物が、０．５から１．５パーセントのグルコン酸ナトリウムを含む、請求項１に記載の防氷剤組成物。
【国際調査報告】
2006501322.tif 000002
2006501322.tif 000003
2006501322.tif 000004